(57)【要約】      （修正有）【課題】画面位置の移動を行うときに手を触れる部分に着脱可能なクッション材を用いることにより、衝撃吸収効果の高い表示装置を提供することにある。【解決手段】表示装置１０は、表示部を除く周囲をプラスチック材で囲う構造を備え、前記プラスチック材のフロント側全域とバック側の一部とを含む領域を覆い隠すように着脱可能な第１のクッション材２０を装着し、さらに、左右両側に着脱可能な第２のクッション材３０を装着することを特徴とする。【選択図】図１
2007027910.tif 000002
【特許請求の範囲】
【請求項１】
表示装置において、表示部を除く周囲をプラスチック材で囲う構造を備え、前記プラスチック材のフロント側全域とバック側の一部とを含む領域を覆い隠すように着脱可能な第１のクッション材を装着し、さらに、左右両側に着脱可能な第２のクッション材を装着することを特徴とする表示装置。
【請求項２】
表示装置において、表示部の前面に着脱可能な保護フィルムを備え、前記第１のクッション材が、フロント側プラスチック材と保護フィルムとの間に入りシーリングの働きを有することを特徴とする請求項１記載の表示装置。
【請求項３】
表示装置において、表示装置背面下側に、第１のクッション材を固定するために前記第１のクッション材の上に着脱可能なＬ字状の取っ手を備えることを特徴とする請求項１または請求項２記載の表示装置。
【発明の詳細な説明】
【技術分野】
【０００１】
本発明は、フラットパネルを用いた表示装置に関するものである。フラットパネルには、液晶、ＰＤＰ、有機ＥＬなどの表示用デバイスを用いており、例えば、病院のベッドサイドで、屈曲可能なフレキシブルアームに取りつけてテレビを視聴するような用途に好適である。
【背景技術】
【０００２】
従来の表示装置では、外部表面に硬質プラスチック材を用いており、使用者の体の一部を誤って撃ちつけた場合に、大きな衝撃を受け、使用者に痛みをもたらす可能性がある。また、病院のベッドサイドで用いる場合などは、過去の使用者が使っていたときの汚れが残っていると、悪い印象を与えてしまう可能性がある。
【０００３】
特許文献１に記載されている表示装置では、左右および下側にクッション材を追加し、衝撃吸収の効果を得ている。また、より効果的に衝撃吸収を行うために、クッション材を中空にしている。しかしながら、クッション部を着脱することは可能であるが、フロントグリルにおいて、表面露出する部分を残しているので、クッション部を取り替えた場合、クッション部以外のフロントグリルの汚れが残ってしまう。
【０００４】
【特許文献１】特開２０００−２９５５４４号公報
【発明の開示】
【発明が解決しようとする課題】
【０００５】
従来の表示装置では、使用者が日常的に触れる部分を容易に着脱することができないという問題があった。また、フロントグリル部に高いクッション性を持たせようとするために厚いクッション材を追加すると、美観(デザイン性)を損なうという問題が生じてしまった。
【０００６】
本発明は、このような課題を解決するためになされたもので、日常の使用において手の触れることが多い部分が着脱可能な小部品であり、尚且つ、フロントグリル部における衝撃吸収効果の高い表示装置を提供することにある。
【０００７】
そこで、フロントグリルの全体をクッション材で覆い、さらに、左右には別のクッション材を装着できる構造を見出し、本発明に想達した。
【０００８】
したがって、本発明の目的は、手で触る部分を着脱可能な部材で覆い、尚且つ、クッション性の高い表示装置を提供することにある。ただし、これらを実現するときに、美観を損なわないようにする必要がある。
【課題を解決するための手段】
【０００９】
前記目的を達成するために、第１発明に係る表示装置は、表示部を除く周囲をプラスチック材で囲う構造を備え、前記プラスチック材のフロント側全域とバック側の一部とを含む領域を覆い隠すように着脱可能な第１のクッション材を装着し、さらに、左右両側に着脱可能な第２のクッション材を装着することを特徴とする。
【００１０】
第１のクッション材は、前面より見える部分（フロントグリル）からバック側までを覆い隠すように装着される。また、表示装置の左右それぞれにクッション固定用部材が配置され、第２のクッション材は、前記クッション固定用部材に装着される。第１のクッション材と第２のクッション材とを部品化にすることにより、使用者が表示装置の画面位置を動かすために触れる部分の交換が可能になった。
【００１１】
第２発明に係る表示装置は、表示部の前面に着脱可能な保護フィルムを備え、前記第１のクッション材が、フロント側プラスチック材と保護フィルムとの間に入りシーリングの働きを有することを特徴とする。
【００１２】
表示部においては、表示部を保護するために保護フィルムを用いる。この保護フィルムにはアクリル板を用い、フロントグリルと表示部（液晶パネル）との間にこのアクリル板を差し込み固定していた。この場合、着脱容易性の考慮から保護フィルムが多少動くことができ、熱変形が起こっていた。第２発明に係る表示装置では、第１のクッション材で全体をシーリングすることにより熱変形を押さえることができ、表示部周囲の防滴効果も有する。また、表示部にタッチパネル機能を持たせたい場合でも、タッチパネル用保護フィルムが使えるタイプがあるため、実現できる。よって、表示装置を使用する人が日常的に触る部分の全域を容易に着脱できる部品として装備する表示装置が実現できる。
【００１３】
さらに、前記着脱可能な部品すべてに抗菌処理を施してもよい。病院内で使用する場合は、手に触れるところが抗菌処理されていて、尚且つ、新しい部品になっていると、使用者に安心感を与えることができる。
【００１４】
第３発明に係わる表示装置は、表示装置背面下側に、第１のクッション材を固定するために、前記第１のクッション材の上に着脱可能なＬ字状の取っ手を備えることを特徴とする。
【００１５】
第１のクッション材は、組み立て時の形状にて成形加工されているが、時間経過に伴い下側が自重により垂れ下がることがある。前面側はフロントキャビネットと液晶パネルとの間に挟みこんでいるので、前記垂れ下がりは発生しない。左右を押さえるよりも後側のみを固定した方が効率的なため、後側を固定する。固定には、プラスチック材を用いるとよい。また、前記固定用のプラスチック材の一部をＬ字状にすれば、フロントグリル下側を握ると前記プラスチック材のＬ字状の部分にちょうど指にがかかり、取っ手になる。
【００１６】
この他では、読書灯やリモコンなどを追加採用する場合もあるが、前記読書灯およびリモコンも交換が可能であるため、前記の安心感は維持される。
【００１７】
本発明に係る表示装置は、通常フレキシブルアームと合わせて使用するため、クッション材とフレキシブルアームの両方を合わせた衝撃吸収効果が期待できる。
【発明の効果】
【００１８】
本発明によれば、フロントグリルの全域にわたる部分を着脱可能な第１のクッション材で覆い隠し、さらに、左右両側に着脱可能な第２のクッション材を有する構成の表示装置を提供することができる。第１のクッション材で、フロントグリルのほぼ全域を被うため、正面から見ると、フロントキャビネットが見えなくなり、正面から見える部分の着脱が可能となる。
【発明を実施するための最良の形態】
【００１９】
（実施例１）
本発明の好適な実施例を、添付図面を参照しながら説明する。
図１は、本発明に係る表示装置の構成を示す外観図である。表示装置は、フレキシブルアーム５０により固定している。
【００２０】
表示装置１０は、第１のクッション材２０、第２のクッション３０とを有し、フレキシブルアーム５０を用いて固定される。さらに、表示装置１０は、スピーカー部６０を有してもよい。
【００２１】
次に、本発明に係る表示装置の構造について、図２および図３を参照しながら説明する。図２は、本発明に係る表示装置１０の構造をあらわし、表示装置の下側（図１―Ｙ）の部分断面図である。
【００２２】
液晶パネル４２の前面側に、タッチパネル固定部材８４、タッチパネル８２、保護フィルム８０、フロントキャビネット７０、第１のクッション材２０の順で配置されている。ただし、保護フィルム８０とフロントキャビネット７０とが近づくところには、第１のクッション材２０が間に入りってシーリングしている。
【００２３】
液晶パネル４２の後面側は、板金７８、バックカバー７２、取っ手７６の順に配置される。また、第１のクッション材２０の端は、取っ手７６の最下の部分とバックカバー７２とで挟まれている。
【００２４】
図３は、本発明に係る表示装置１０の構造をあらわし、表示装置の右側（図１―Ｘ）の断面図である。
【００２５】
液晶パネル４２の右側に、板金７８、フロントキャビネット７０、バックカバー７２があり、さらにその外側にフロントキャビネットとバックカバーから延長されている第２のクッション材を固定する部材がある。前記の部材の周囲を第２のクッション材３０が包むように配置される。
【００２６】
液晶パネル４２から左側についても、前記液晶パネル４２の右側と同様の順に配置される（図示せず）。
【００２７】
第１のクッション材２０は、ゴムを用いるとよい。前記ゴムにはウレタンゴムやシリコンゴムなどを用いるとよい。また、第２のクッション材３０には、発泡材やスポンジなどが適しているが、ゴムを用いてもよい。材料は性能および価格から適切に選ぶものであり、前記材料に限定するものではない。第１のクッション材２０と第２のクッション材３０とを異なる材料にすることができるので、用途に対してより最適化を図ることができる。  
【００２８】
（実施例２）
図４は、表示装置１０に読書灯９０を装着した場合の構成をあらわしている。読書灯９０を追加すると、ベッドサイドで読書をするときに便利であり、取りつけ可能とした。
【００２９】
前記読書灯９０の取りつけには、第１のクッション材２０の固定で用いているプラスチック材（取っ手７６）を用いるとよい。また、読書灯９０の周囲をクッション材で囲ってもよい。これにより、他の部分同様、読書灯に誤って手を当てたときの衝撃を緩和することができる。
【００３０】
これまで説明してきた表示装置１０のフロントグリル部にはスイッチおよびボタンがないので、表示装置１０の操作は、タッチパネル８２によるタッチ入力を用いるとよい。或いは、リモコンを用いてもよい。
【産業上の利用可能性】
【００３１】
上述の実施例では、病院のベッドサイド用の表示装置として説明してきた。
しかし、本発明は、ベッドサイド用途に限るものではなく、フレキシブルアームを用いると便利な場面の多くで活用できる。また、防滴効果で不充分な場合は、防水と防塵に対応できるように改良してもよい。
【００３２】
以上につき好適な実施例を挙げて説明したが、本発明はこの実施例に限定されるものではなく、発明の精神を逸脱しない範囲内で多くの改変を施し得るのはもちろんである。
【図面の簡単な説明】
【００３３】
【図１】実施例１の表示装置の構成をあらわす説明図である。
【図２】本発明に係る表示装置の下側の部分断面図である。
【図３】本発明に係る表示装置の右側の部分断面図である。
【図４】実施例２の表示装置の構成をあらわす説明図である。
【符号の説明】
【００３４】
１０  表示装置
２０  第１のクッション材
３０  第２のクッション材
４０  表示部
４２  液晶パネル
５０  フレキシブルアーム
６０  スピーカー部
７０  フロントキャビネット
７２  バックカバー
７４  バックカバー（別部品）
７６  取っ手
７８  板金
８０  保護フィルム
８２  タッチパネル
８４  タッチパネル固定部材
９０  読書灯
【図１】
2007027910.tif 000003
【図２】
2007027910.tif 000004
【図３】
2007027910.tif 000005
【図４】
2007027910.tif 000006